(57)【特許請求の範囲】
【請求項１】
工作物上にサブピクセルの行の規則的な配列を形成する方法であって、
前記サブピクセルがｃ種類の異なる色、およびサブピクセルピッチｓを有し、前記色の中のａ種類が印刷によって形成され：
（ａ）一列に配列したｚ個の隣接ノズルをａセット有する印刷ヘッドを提供するステップであって、同じセット中の隣接ノズル間の間隔がｐ１＝ｃｓであり、異なるセット中の隣接ノズル間の間隔がｐ２＝（ｃ＋１）ｓであり、前記印刷ヘッドが前記工作物に対して第１の位置にあるステップと；
（ｂ）前記ａ種類の色のそれぞれ１つの、ａ種類の異なる印刷インクを提供するステップ；
（ｃ）１つのセット中のそれぞれの前記ノズルに同じ色が収容され、異なる色がノズルの各セットに供給されるように、それぞれの前記印刷インクを前記ノズルに供給するステップと；
（ｄ）前記印刷ヘッドを使用してサブピクセルのａｚ個の行の第１のセットを印刷するステップと；
（ｅ）距離ｄだけ、前記印刷ヘッドに対して横方向に前記工作物を移動させるステップであって、ｄ＝ｃｚ（ｓ）であるステップと；
（ｆ）前記印刷ヘッドを使用してサブピクセルのａｚ個の行の第２のセットを印刷するステップと；
（ｇ）サブピクセルのａｚ個の行が合計ｎセットとなるように、ステップ（ｅ）および（ｆ）をｎ−２回繰り返すステップと；
を含み；
ここで：
ａは１を超える整数であり；
ｃは１を超える整数であり；
ｎは１を超える整数であり、
ｚは１を超える整数である、
方法。
【請求項２】
ａ＝ｃである、請求項１に記載の方法。
【請求項３】
ｓが１〜２０ミクロンの範囲内である、請求項１に記載の方法。
【請求項４】
ａが３および４から選択される整数である、請求項２に記載の方法。
【請求項５】
ｃ＝３であり、前記色が赤色、青色、および緑色である、請求項１〜４のいずれか１項に記載の方法。
【請求項６】
ｃ＝４であり、前記色が赤色、青色、緑色、および白色である、請求項１〜４のいずれか１項に記載の方法。
【請求項７】
ｚが４〜８の整数である、請求項１に記載の方法。
【請求項８】
（ｈ）非印刷堆積用のｂ種類の異なる材料を提供するステップと；
（ｉ）非印刷方法によって、前記ｂ種類の材料のそれぞれを別々に前記工作物上に堆積するステップと；
をさらに含み；
ここで：
ｂは０を超える整数であり；
ｃ＝ａ＋ｂである、
請求項１に記載の方法。
【請求項９】
ａ＝２およびｂ＝１である、請求項８に記載の方法。
【請求項１０】
前記非印刷方法が気相堆積である、請求項８に記載の方法。
【請求項１１】
前記気相堆積が全体的なものである、請求項１０に記載の方法。
【請求項１２】
前記気相堆積がピクセル化される、請求項１０に記載の方法。
【発明の詳細な説明】
【技術分野】
【０００１】
本開示は、一般に、電子デバイスおよび方法に関し、特に、電極と異なる色の有機活性領域とを有する電子デバイス、およびその形成方法に関する。
【背景技術】
【０００２】
電子デバイスとしては、液晶ディスプレイ（「ＬＣＤ」）、有機発光ダイオード（ＯＬＥＤ）ディスプレイなどを挙げることができる。電子デバイスの製造は、溶液堆積技術を使用して行うことができる。電子デバイスの製造方法の１つは、印刷（たとえば、インクジェット印刷、連続印刷など）によって基体上に有機層を堆積することである。ある印刷方法では、印刷される液体組成物としては、有機溶媒、水性溶媒、または溶媒の組み合わせを有する溶液中、分散体中、エマルジョン中、または懸濁物中の有機材料が挙げられる。印刷後、溶媒を蒸発させると、有機材料が残存して電子デバイスの有機層が形成される。
【発明の概要】
【発明が解決しようとする課題】
【０００３】
典型的には、第１の色が印刷され、次に印刷装置が再調整され、第２の色が印刷される。場合によっては、第１の印刷色を有する基体が、第２の色を印刷する第２のプリンタまで移動する。このためには、プリンタの調整および位置合わせの時間も必要となる。多くの場合、赤色、緑色、および青色の３色が印刷される。この場合、それぞれの色で再調整および／または再度の位置合わせのための時間が必要となる。場合によっては、一部の色が印刷によって塗布され、一部の色は非印刷堆積によって塗布される。改善された堆積方法が必要とされている。
【課題を解決するための手段】
【０００４】
工作物上にサブピクセルの行の規則的な配列を形成する方法であって、サブピクセルがｃ種類の異なる色、およびサブピクセルピッチｓを有し、色の中のａ種類が印刷によって形成され：
（ａ）一列に配列したｚ個の隣接ノズルをａセット有する印刷ヘッドを提供するステップであって、同じセット中の隣接ノズル間の間隔がｐ１＝ｃｓであり、異なるセット中の隣接ノズル間の間隔がｐ２＝（ｃ＋１）ｓであり、印刷ヘッドが工作物に対して第１の位置にあるステップと；
（ｂ）ａ種類の色のそれぞれに１つの、ａ種類の異なる印刷インクを提供するステップと；
（ｃ）１つのセット中のそれぞれのノズルに同じ色が収容され、異なる色がノズルの各セットに供給されるように、それぞれの印刷インクをノズルに供給するステップと；
（ｄ）印刷ヘッドを使用してサブピクセルのａｚ個の行の第１のセットを印刷するステップと；
（ｅ）距離ｄだけ、印刷ヘッドに対して横方向に工作物を移動させるステップであって、ｄ＝ｃｚ（ｓ）であるステップと；
（ｆ）印刷ヘッドを使用してサブピクセルのａｚ個の行の第２のセットを印刷するステップと；
（ｇ）サブピクセルのａｚ個の行が合計ｎセットとなるように、ステップ（ｅ）および（ｆ）をｎ−２回繰り返すステップとを含み；
ここで：
ａは１を超える整数であり；
ｃは１を超える整数であり；
ｎは１を超える整数であり、
ｚは１を超える整数である、
方法を提供する。
【０００５】
ｂ種類の色が非印刷方法によって塗布される上記方法であって：
（ｈ）非印刷堆積用のｂ種類の異なる材料を提供するステップと；
（ｉ）非印刷方法によって、ｂ種類の材料のそれぞれを別々に工作物上に堆積するステップとをさらに含み；
ここで：
ｂは０を超える整数であり；
ｃ＝ａ＋ｂである、
方法も提供する。
【０００６】
以上の一般的説明および以下の詳細な説明は、単に例示的および説明的なものであり、添付の特許請求の範囲において規定される本発明を限定するものではない。
【０００７】
本明細書において提示される概念の理解を進めるために、添付の図面において実施形態を説明する。
【図面の簡単な説明】
【０００８】
【図１】工作物およびプリンタの断面図である。
【図２】ディスプレイなどの電子デバイスを製造するための工作物の平面図である。
【図３】３つの印刷色を有する印刷方法を説明する図である。
【図４】２つの印刷色を有する印刷方法を説明する図である。
【図５】３つの印刷色および２つの非印刷色を有する印刷方法を説明する図である。
【図６】２つの印刷色および２つの非印刷色を有する印刷方法を説明する図である。
【図７】赤色および緑色の印刷色を有し、青色が非印刷方法によって堆積される印刷方法を示す図である。
【０００９】
当業者であれば理解しているように、図面中の要素は、平易かつ明快にするために示されており、必ずしも縮尺通りに描かれているわけではない。たとえば、本発明の実施形態を理解しやすいようにするために、図面中の一部の要素の寸法が他の要素よりも誇張されている場合がある。
【発明を実施するための形態】
【００１０】
多数の態様および実施形態を以上に説明してきたが、これらは単に例示的で非限定的なものである。本明細書を読めば、本発明の範囲から逸脱しない他の態様および実施形態が実現可能であることが、当業者には分かるであろう。
【００１１】
いずれか１つ以上の本発明の実施形態のその他の特徴および利点は、以下の詳細な説明および特許請求の範囲から明らかとなるであろう。この詳細な説明では、最初に、用語の定義および説明を扱い、続いて、プリンタ、印刷方法、非印刷方法、ならびに電子デバイスを扱う。
【００１２】
１．用語の定義および説明
以下に説明する実施形態の詳細を扱う前に、一部の用語について定義または説明を行う。
【００１３】
ノズルに関して使用される用語「隣接」は、それらのノズルが互いに直接隣接していることを意味することを意図している。
【００１４】
用語「配列」は、要素の規則的な配置を意味することを意図している。配列としては、規則的な配置中で、通常は列および行によって指定される、ピクセル、サブピクセル、セル、またはその他の構造を挙げることができる。配列は、ｘ方向およびｙ方向で示される場合がある。
【００１５】
用語「青色」は、約４００〜５００ｎｍの範囲内の波長を意味する。
【００１６】
用語「連続」およびその変形は、実質的に中断されていないことを意味することを意図している。一実施形態においては、連続的な印刷は、液体または液体組成物の実質的に中断されない流れを使用した印刷であり、液滴を使用する堆積技術とは対照的である。別の一実施形態においては、連続的に延在するとは、層、部材、または構造の中のその長さに沿った中断が実質的に存在しない、ある長さの層、部材、または構造を意味する。
【００１７】
用語「電子デバイス」は、全体として、適切に電気的に接続され、適切な電位が供給される場合にある機能を果たす一群の回路、電子部品、またはそれらのあらゆる組み合わせを意味することを意図している。電子デバイスは、システムに含まれる場合もあるし、システムの一部である場合もある。電子デバイスの例としては、ディスプレイ、センサーアレイ、コンピューターシステム、アビオニクスシステム、自動車、携帯電話、その他の家庭用または産業用電子製品、あるいはそれらのあらゆる組み合わせが挙げられる。
【００１８】
用語「緑色」は、約５００〜６００ｎｍの範囲内の波長を意味する。
【００１９】
用語「ゲスト材料」は、ホスト材料を含む層内で、その層の電子的特性、あるいは放射線の放出、受信、またはフィルタリングの目標波長を、そのような材料を含まない層の電子的特性、あるいは放射線の放出、受信、またはフィルタリングの波長に対して変化させる材料を意味することを意図している。
【００２０】
用語「ホスト材料」は、ゲスト材料を加える場合も加えない場合もある、通常は層の形態の材料を意味することを意図している。ホスト材料は、電子的特性、あるいは放射線を放出、受信、またはフィルタリングする能力を有する場合もあるし、有さない場合もある。
【００２１】
用語「発光材料」は、可視光線を放出することができる材料を意味することを意図している。「可視」は、約４００〜７００ｎｍに相当する波長を有する放射線スペクトルを意味する。
【００２２】
用語「液体組成物」は、液体媒体中に溶解して溶液を形成する材料、液体媒体中に分散して分散体を形成する材料、液体媒体中に懸濁して懸濁物またはエマルジョンを形成する材料を意味することを意図している。
【００２３】
用語「液体媒体」は、溶液、分散体、懸濁物、またはエマルジョンの中の液体を意味することを意図している。用語「液体媒体」は、１種類の溶媒が存在するか、または２種類以上の溶媒が存在するかとは無関係に使用され、したがって、液体媒体は、その用語の単数形または複数形（すなわち、複数の液体媒体）として使用される。
【００２４】
用語「ノズル」は、それを介して液体組成物または液体媒体を定量供給することができる装置の一部を意味することを意図している。
【００２５】
用語「印刷インク」は、１つの色の発光材料を含む液体組成物を意味することを意図している。
【００２６】
用語「配向」は、特徴が延在する主方向を意味することを意図している。同じ高さまたは異なる高さにおける異なる特徴の間では、それらの特徴は、実質的に平行、実質的に直交、または互いに対して別の角度の関係で配向することができる。
【００２７】
用語「ピッチ」は、特徴の寸法と、直接隣接する特徴の間の間隔の寸法との合計を意味することを意図している。
【００２８】
用語「ピクセル」は、配列の最小の完全な繰り返し単位を意味することを意図している。用語「サブピクセル」は、ピクセルのすべてではなく一部のみを構成するピクセルの一部を意味することを意図している。フルカラーディスプレイにおいては、フルカラーピクセルは、赤色、緑色、および青色のスペクトル領域の原色を有する３種類のサブピクセルを含むことができる。
【００２９】
用語「印刷」は、印刷ヘッド、あるいは液体または液体組成物を工作物上に定量供給する他の類似の構造を使用することによって、層を選択的に堆積する行為を意味することを意図している。
【００３０】
用語「印刷装置」は、工作物上に層を印刷するために設計された、１つ以上の材料、設備、組立体、または部分組立体の組み合わせを意味することを意図している。
【００３１】
用語「赤色」は、約６００〜７００ｎｍの範囲内の波長を意味する。
【００３２】
用語「工作物」は、１つ以上のデバイス層を上に有する基体を意味することを意図している。デバイス層は、無機の場合も有機の場合もある。
【００３３】
本明細書において使用される場合、用語「含んでなる」、「含んでなること」、「含む」、「含むこと」、「有する」、「有すること」、またはそれらの他のあらゆる変形は、非排他的な包含を扱うことを意図している。たとえば、ある一連の特徴を含むプロセス、方法、物品、または装置は、それらの特徴にのみに必ずしも限定されるわけではなく、そのようなプロセス、方法、物品、または装置に関して明示されず固有のものでもない他の特徴を含むことができる。さらに、反対の意味で明記されない限り、「または」は、包含的な「または」を意味するのであって、排他的な「または」を意味するのではない。たとえば、条件ＡまたはＢが満たされるのは、Ａが真であり（または存在し）Ｂが偽である（または存在しない）、Ａが偽であり（または存在せず）Ｂが真である（または存在する）、ならびにＡおよびＢの両方が真である（または存在する）のいずれか１つによってである。
【００３４】
また、本発明の要素および成分を説明するために「ａ」または「ａｎ」も使用されている。これは単に便宜的なものであり、本発明の一般的な意味を提供するために行われている。この記述は、１つまたは少なくとも１つを含むものと読むべきであり、明らかに他の意味となる場合を除けば、単数形は複数形も含んでいる。
【００３５】
元素周期表中の縦列に対応する族の番号は、ＣＲＣ  Ｈａｎｄｂｏｏｋ  ｏｆ  Ｃｈｅｃｉｓｔｒｙ  ａｎｄ  Ｐｈｙｓｉｃｓ，８１stＥｄｉｔｉｏｎ（２０００−２００１に見ることができる「新表記法」（Ｎｅｗ  Ｎｏｔａｔｉｏｎ）の規則を使用している。
【００３６】
特に定義しない限り、本明細書において使用されるすべての技術用語および科学用語は、本発明が属する技術分野の当業者によって一般に理解されている意味と同じ意味を有する。本明細書に記載されているものと類似または同等の方法および材料を使用して、本発明の実施形態の実施または試験を行うことができるが、好適な方法および材料については以下に説明する。本明細書において言及されるあらゆる刊行物、特許出願、特許、およびその他の参考文献は、特に明記しない限り、それらの記載内容全体が援用される。矛盾が生じる場合には、定義を含めて本明細書に従うものとする。さらに、材料、方法、および実施例は、単に説明的なものであって、限定を意図したものではない。
【００３７】
本明細書に記載されていない程度の、具体的な材料、処理行為、および回路に関する多くの詳細は従来通りであり、それらについては、有機発光ダイオードディスプレイ、光源、光検出器、光電池、および半導体要素の技術分野の教科書およびその他の情報源中に見ることができる。
【００３８】
２．プリンタ
特定の実施形態を扱う前に、本明細書に記載の概念を理解しやすくするために、プリンタを扱う。
【００３９】
図１に示されるように、プリンタ１０は、第１のセットの２つのノズル１１０と、第２のセットの２つのノズル１２０とが取り付けられた印刷ヘッド１００を有する。同じセット中のノズル１１０の間の間隔はｐ１と示されている。異なるセット中の隣接ノズル１１０および１２０の間の間隔はｐ２と示されている。プリンタには、適切な液体組成物を各ノズルに供給するためのライン（図示せず）が取り付けられている。第１のセット中のノズル１１０が第１の色を収容し、第２のセット中のノズル１２０が第１の色とは異なる第２の色を収容するように、それぞれの色の異なる液体組成物が供給される。
【００４０】
印刷ヘッドは工作物２０の上に示されている。印刷ヘッドおよび工作物は、Ｌで示されるように、互いに対して移動することができる。この横方向の移動は相対的である。ある場合では、工作物が移動する。ある場合では、印刷ヘッドが移動する。ある場合では、印刷ヘッドと工作物との両方が移動する。簡単にするために、この移動は、印刷ヘッドのみが移動し、工作物は静止しているかのように取り扱う。印刷ヘッドおよび工作物のいずれかまたは両方が移動することができるが、互いに対するそれらの相対的な移動のみが問題となることは理解されよう。
【００４１】
図１に示される実施形態においては、プリンタは４つのノズルを有する。ノズルの実際の数はこれより多くてもよく、実際の製造を考慮することによってのみ限定される。ある実施形態においては、ノズル数は６〜２４の範囲である。
【００４２】
印刷のための送出は、液体材料をパターンで堆積するためのあらゆる周知のシステムであってよい。印刷技術の例の一部としては、インクジェットおよび連続ノズルスプレーが挙げられるが、これらに限定されるものではない。
【００４３】
３．印刷方法
図２は、電子デバイスを製造するための工作物２０の平面図である。工作物は、サブピクセル開口部２１０の規則的な配列を有する基体２００を含む。工作物は、第１の縁端部２０１と反対側の縁端部２０２とを有する。図面中には数個のサブピクセルのみが示されている。実際には、デバイスは、数百個以上のサブピクセルを有することができる。ある実施形態においては、サブピクセル開口部は、物理的閉じ込め構造、化学的閉じ込め構造、またはその両方であってよい閉じ込め構造（図示せず）によって画定される。サブピクセル開口部２１０は、２１１、２１２、および２１３で示される行の規則的な配列中に存在する。サブピクセルピッチはｓで示されている。この図中では、３つのサブピクセルを合わせたものがピクセル２２０を形成する。図示される実施形態においては、サブピクセル２１０は長方形である。円形、楕円形、正方形、または多角形などの他のサブピクセル形状を使用することもできる。印刷方向は、図中にｘで示されている。横方向の移動は、印刷方向に対して垂直であるｙ方向の移動として定義される。
【００４４】
本明細書に記載の方法においては、サブピクセルの行の規則的な配列が工作物上に形成される。これらのサブピクセルはサブピクセルピッチｓを有する。この印刷ステップは：
（ａ）一列に配列したｚ個の隣接ノズルをａセット有する印刷ヘッドを提供するステップであって、同じセット中の隣接ノズル間の間隔がｐ１＝ｃｓであり、異なるセット中の隣接ノズル間の間隔がｐ２＝（ｃ＋１）ｓであり、印刷ヘッドが工作物に対して第１の位置にあるステップと；
（ｂ）ａ種類の色のそれぞれに１つの、異なる印刷インクを提供するステップと；
（ｃ）１つのセット中のそれぞれのノズルに同じ色が収容され、異なる色がノズルの各セットに供給されるように、それぞれの印刷インクをノズルに供給するステップと；
（ｄ）印刷ヘッドを使用してサブピクセルのａｚ個の行の第１のセットを印刷するステップと；
（ｅ）距離ｄだけ、印刷ヘッドに対して横方向に工作物を移動させるステップであって、ｄ＝ｃｚ（ｓ）であるステップと；
（ｆ）印刷ヘッドを使用してサブピクセルのａｚ個の行の第２のセットを印刷するステップと；
（ｇ）サブピクセルａｚ個の行が合計ｎセットとなるように、ステップ（ｅ）および（ｆ）をｎ−２回繰り返すステップとを含み；
ここで：
ａは０を超える整数であり；
ｃは２を超える整数であり；
ｎは１を超える整数であり、
ｚは１を超える整数である。
【００４５】
印刷ヘッドは、ａｚ個のノズルを有し、ここでａは印刷色の数であり、ｚは、任意の特定の色のノズルの数である。各色のノズル互いに一群にまとめられ、それによって印刷ヘッドは、第１の色のすべてのノズルを有し、次に第２の色のすべてのノズルを有する、などとなる。ある実施形態においては、ｃは３または４である。ある実施形態においては、ｃ＝３である場合、それらの色は、赤色、青色、および緑色である。ある実施形態においては、ｂ＝２であり、印刷色は、赤色および緑色である。ある実施形態においては、ｃ＝４である場合、それらの色は、赤色、青色、緑色、および白色である。ある実施形態においては、ｂ＝３であり、印刷色は、赤色、緑色、および白色である。
【００４６】
印刷ヘッドは、工作物上の第１の印刷位置で開始する。この第１の位置をＡ１と呼び、これについては後の項で議論する。ある実施形態においては、プリンタは、図２中に２０１で示される工作物の一方の縁端部に配置され、サブピクセルの第１の行上で位置合わせされる。ノズルは、サブピクセルの行中に印刷されるようにすべてのノズルが位置合わせされるような距離だけ、間隔が開けられている。したがって、これらのノズルは、サブピクセルピッチｓの倍数だけ間隔を開けている。用語「ある数の倍数」は、その数に０を超える整数を乗じた値を意味する。各セット中のノズルは、ｐ１＝ｃｓだけ間隔を開けている。異なるセットの隣接ノズル、言い換えると、異なる色を印刷するための隣接ノズルは、ｐ２＝（ｃ＋１）ｓだけ間隔を開けている。
【００４７】
プリンタは、ｘ方向で工作物にわたって印刷することで、サブピクセルの行の第１のセットが印刷される。印刷される行の数は、印刷ヘッドのノズルの総数に等しい。
【００４８】
行の第１のセットの印刷終了後、印刷ヘッドは、工作物に沿って横方向に隣接する印刷位置まで移動する。この位置をＡ２と呼び、これについては後の項で議論する。この移動は、工作物の面に対して並行であり、行方向と直交するｙ方向である。移動距離ｄは、サブピクセルピッチｓの倍数でもあり、ｄ＝ｃｚｓである。次にａｚ個の行の第２のセットが印刷される。この印刷は、第１の印刷の反対方向であってもよいし、または印刷ヘッドが第１の印刷と同じ側に戻って同じ方向で印刷することもできる。これは、装置およびソフトウェアによって決定される。
【００４９】
ｄだけ移動して、ａｚ個のサブピクセル行を印刷するステップは、図２に２０２で示される工作物の反対側の縁端部までプリンタが到達するまで続けられる。したがって、印刷されるサブピクセル行印刷が合計ｎセットとなるように、上記ステップはｎ−２回繰り返される。このｎという数は、ディスプレイの印刷に対応させるために非常に大きくなりうる。ある実施形態においては、ｎは少なくとも５０であり；ある実施形態においては、ｎは少なくとも１００である。ｎの値の上限は、サブピクセルピッチｓ、および印刷される工作物の大きさによって決定される。サブピクセルピッチｓは、所望の解像度によって決定される。ある実施形態においては、ｓは１〜２０ミクロンの範囲内である。この印刷方法においては、数個のサブピクセル開口部が、第１の縁端部および反対側の縁端部において印刷されない。これらは工作物上のむだな領域となる。
【００５０】
実際には、サブピクセル行は、あらゆる順序で印刷することができる。工作物に対する印刷ヘッドの移動は前述した通りであり、ａｚ個のサブピクセル行のｎセットが、位置Ａ１、Ａ２、Ａ３などから出発して印刷されるが、必ずしもこの順序通りでなくてもよい。印刷の正確な順序は、プリンタの最も効率的な使用方法によって決定される。
【００５１】
本明細書に記載の方法を、図３においてさらに説明する。図３中、３つの印刷色、Ｍ１、Ｍ２、およびＭ３が存在する。印刷ヘッド上には各色に２つのノズルが存在する。したがって、この図においては：
ａ＝３
ｃ＝３、および
ｚ＝２である。
【００５２】
これらの色は、「プリンタ」と表示される列の下に示されるように配列される。最初の２つのノズルは色Ｍ１用であり、次の２つのノズルは色Ｍ２用であり、最後の２つのノズルは色Ｍ３用である。同じ色のノズル間の間隔はｃであり、これは３サブピクセル単位となる。隣接するＭ１ノズルとＭ２ノズルとの間の間隔、ならびに隣接するＭ２ノズルとＭ３ノズルとの間の間隔はｃ＋１であり、これは４サブピクセル単位となる。印刷ヘッドは、サブピクセル行１の上に色Ｍ１を有する第１のノズルが第１の縁端部に位置するように配置される。これが、Ａ１で示される第１の印刷位置である。位置Ａ１は、第１のノズルが上に配置されるサブピクセル行として定義される。プリンタによって、工作物の行方向にわたって印刷されることで、色Ｍ１の行がサブピクセル行１および４の中に形成され、色Ｍ２の行がサブピクセル行８および１１の中に形成され、色Ｍ３の行がサブピクセル行１５および１８の中に形成される。これは、印刷＃１で表示される列中に示されている。明確にするために、それぞれの色で１つのサブピクセルしか示していないが、それぞれがサブピクセルの行全体を表している。次に、プリンタは距離ｄだけ横方向に移動し、このｄはｃｚサブピクセル単位に等しく、この場合は６である。これがプリンタの位置Ａ２となる。次に、プリンタによって、行の第２のセットが印刷され：印刷＃２で表示される列中に示されるように、色Ｍ１の行がサブピクセル行７および１０の中に、色Ｍ２の行がサブピクセル行１４および１７の中に、色Ｍ３の行がサブピクセル行２１および２４の中に印刷される。明確にするために、印刷＃２は、印刷＃１の右側にずらして示している。印刷＃１および印刷＃２の両方、ならびにその他のすべての印刷番号は、工作物にわたって印刷されるサブピクセルの行全体を表している。次に、プリンタは６サブピクセル単位だけ再び横方向に移動する。これがプリンタの位置Ａ３となる。次に、プリンタによって行の第３のセットが印刷され：印刷＃３で表示される列中に示されるように、色Ｍ１の行がサブピクセル行１３および１６の中に、色Ｍ２の行がサブピクセル行２０および２３の中に、色Ｍ３の行がサブピクセル行２７および３０の中に印刷される。この実施例においては、このプロセスが、位置Ａ４および印刷＃４、位置Ａ５および印刷＃５、位置Ａ６および印刷＃６、そして最後に位置Ａ７および印刷＃７に関して繰り返される。したがって、この実施例ではｎ＝７であり、印刷される行の総数はｎａｚ＝４２である。
【００５３】
この時点で、印刷は工作物の反対側の縁端部に到達している。実際には、ほとんどのデバイスではより多くの行、最大で数百、またはそれ以上のサブピクセルが必要であり、これらの行は類似の方法で印刷される。図中の４２のサブピクセル行は単なる例として示している。
【００５４】
印刷結果は、「パターン」と表示される列に示されている。Ａ１の縁端部および反対側の縁端部において、サブピクセルからサブピクセル行が欠落していることが分かる。したがって使用できるデバイス領域はサブピクセル行１３からサブピクセル行４５である。
【００５５】
図４中、２つの印刷色Ｍ１およびＭ２が存在する。印刷ヘッド上には各色で５つのノズルが存在する。したがって、この図においては：
ａ＝２
ｃ＝２、および
ｚ＝５である。
【００５６】
これらの色は、「プリンタ」と表示される列の下に示されるように配列される。最初の５つのノズルは色Ｍ１用であり、次の５つのノズルは色Ｍ２用である。同じ色のノズル間の間隔はｃであり、これは２サブピクセル単位となる。隣接するＭ１ノズルとＭ２ノズルとの間の間隔はｃ＋１であり、これは３サブピクセル単位となる。図３に関して説明したように、印刷ヘッドは、サブピクセル行１の上のＡ１に配置される。プリンタによって、工作物の行方向にわたって印刷されることで、色Ｍ１の行がサブピクセル行１、３、５、７、および９の中に形成され、色Ｍ２の行がサブピクセル行１２、１４、１６、１８、および２０の中に形成される。これは、印刷＃１で表示される列中に示されている。図３と同様に、明確にするために、それぞれの色で１つのサブピクセルしか示していないが、それぞれがサブピクセルの行全体を表している。次に、プリンタは距離ｄだけ横方向に移動し、このｄはｃｚサブピクセル単位に等しく、この場合は１０である。これがプリンタの位置Ａ２となる。次に、プリンタによって、行の第２のセットが印刷され：印刷＃２で表示される列中に示されるように、色Ｍ１の行がサブピクセル行１１、１３、１５、１７、および１９の中に印刷され；色Ｍ２の行がサブピクセル行２２、２４、２６、２８、および３０の中に印刷される。明確にするために、印刷＃２は、印刷＃１の右側にずらして示している。印刷＃１および印刷＃２の両方、ならびにその他のすべての印刷番号は、工作物にわたって印刷されるサブピクセルの行全体を表している。次に、プリンタは１０サブピクセル単位だけ再び横方向に移動する。これがプリンタの位置Ａ３となる。次に、プリンタによって行の第３のセットが印刷され：印刷＃３で表示される列中に示されるように、色Ｍ１の行がサブピクセル行２１、２３、２５、２７、および２９の中に印刷され；色Ｍ２の行がサブピクセル行３２、３４、３６、３８、および４０の中に印刷される。この実施例においては、このプロセスが位置Ａ４および印刷＃４に関して繰り返される。したがって、この実施例ではｎ＝４であり、印刷される行の総数はｎａｚ＝４０である。
【００５７】
この時点で、印刷は工作物の反対側の縁端部に到達している。前述したように、実際にはより多くの行が印刷され、図面中の４０のサブピクセル行は単なる例として示している。
【００５８】
印刷結果は、「パターン」と表示される列に示されている。Ａ１の縁端部および反対側の縁端部において、サブピクセルからサブピクセル行が欠落していることが分かる。したがって使用できるデバイス領域はサブピクセル行１３からサブピクセル行４０である。
【００５９】
４．非印刷方法
ある実施形態においては、デバイスのすべての色が印刷されるとは限らない。１つ以上の色が、他の堆積方法を使用して堆積される。このような方法としては、気相堆積、熱転写、ならびにスピンコーティング、グラビアコーティング、カーテンコーティング、浸漬コーティング、スロットダイコーティング、およびスプレーコーティングなどの連続液相堆積技術が挙げられるが、これらに限定されるものではない。このような方法は周知であり文献に記載されている。印刷と非印刷堆積との併用は、たとえば、米国特許出願公開第２００８−００６７９２４号明細書および米国特許出願公開第２００８−０１５７６５９号明細書に開示されている。
【００６０】
この実施形態において、印刷は、非印刷色のための空間を残す必要があり、非印刷色は印刷ステップの前または後に塗布することができる。ある実施形態においては、非印刷色は、層全体として塗布される。ある実施形態においては、非印刷色はピクセル化される。「ピクセル化」は、色が、その色のサブピクセル領域内にのみ堆積されることを意味する。ある実施形態においては、少なくとも１つの非印刷色が全体に塗布され、少なくとも１つの非印刷色がピクセル化される。
【００６１】
この実施形態において、前述したように印刷される色の数はａであり、非印刷方法によって堆積される色の数はｂである。色の総数はｃ＝ａ＋ｂとなる。
【００６２】
非印刷ステップは：
（ｈ）非印刷堆積用のｂ種類の異なる材料を提供するステップと；
（ｉ）非印刷方法によって工作物上にｂ種類の材料を別々に堆積するステップとであり、
ここでｂは０を超える整数である。
【００６３】
非印刷色は、印刷色の前または後に堆積することができる。ある実施形態においては、非印刷色は、印刷色の後に堆積される。
【００６４】
ある実施形態においては、ｂは１である。ある実施形態においては、非印刷材料は気相堆積によって堆積される。ある実施形態においては、非印刷材料が青色発光材料であり、印刷ステップの後に気相堆積によって全体に堆積される。ある実施形態においては、非印刷材料が赤色発光材料であり、全体に堆積される。
【００６５】
非印刷堆積を含む方法を図５〜７にさらに示している。図５中、３つの印刷色Ｍ１、Ｍ２、およびＭ３が存在し、さらに１つの追加の色が非印刷堆積によって塗布される。印刷ヘッド上には各色で２つのノズルが存在する。したがって、この図においては：
ａ＝３
ｂ＝１
ｃ＝４、および
ｚ＝２である。
【００６６】
これらの色は、「プリンタ」と表示される列の下に示されるように配列される。最初の２つのノズルは色Ｍ１用であり、次の２つのノズルは色Ｍ２用であり、最後の２つのノズルは色Ｍ３用である。同じ色のノズル間の間隔はｃであり、これは４サブピクセル単位となる。隣接するＭ１ノズルとＭ２ノズルとの間の間隔はｃ＋１であり、これは５サブピクセル単位となる。図３に関して説明したように、印刷ヘッドは、サブピクセル行１の上のＡ１に配置される。プリンタによって、工作物の行方向にわたって印刷されることで、色Ｍ１の行がサブピクセル行１および５の中に形成され、色Ｍ２の行がサブピクセル行１０および１４の中に形成され、色Ｍ３の行がサブピクセル行１９および２３の中に形成される。これは、印刷＃１で表示される列中に示されている。図３と同様に、明確にするために、それぞれの色で１つのサブピクセルしか示していないが、それぞれがサブピクセルの行全体を表している。次に、プリンタは距離ｄだけ横方向に移動し、このｄはｃｚサブピクセル単位に等しく、この場合は８である。これがプリンタの位置Ａ２となる。次に、プリンタによって、行の第２のセットが印刷され：印刷＃２で表示される列中に示されるように、色Ｍ１の行がサブピクセル行９および１３の中に印刷され；色Ｍ２の行がサブピクセル行１８および２２の中に印刷され；色Ｍ３の行がサブピクセル行２７および３１の中に印刷される。明確にするために、印刷＃２は、印刷＃１の右側にずらして示している。印刷＃１および印刷＃２の両方、ならびにその他のすべての印刷番号は、工作物にわたって印刷されるサブピクセルの行全体を表している。次に、プリンタは８サブピクセル単位だけ再び横方向に移動する。これがプリンタの位置Ａ３となる。次に、プリンタによって行の第３のセットが印刷され：印刷＃３で表示される列中に示されるように、色Ｍ１の行がサブピクセル行１７および２１の中に印刷され；色Ｍ２の行がサブピクセル行２６および３０の中に印刷され；色Ｍ３の行がサブピクセル行３５および３９の中に印刷される。この実施例においては、このプロセスが位置Ａ４および印刷＃４、ならびに位置Ａ５および印刷＃５に関して繰り返される。したがって、この実施例ではｎ＝５であり、印刷される行の総数はｎａｚ＝３０である。
【００６７】
この時点で、印刷は工作物の反対側の縁端部に到達している。前述したように、実際にはより多くの行が印刷され、図面中の３０のサブピクセル行は単なる例として示している。
【００６８】
印刷結果は、「パターン」と表示される列に示されている。Ａ１の縁端部および反対側の縁端部において、サブピクセルからサブピクセル行が欠落していることが分かる。サブピクセルの空間は、色Ｍ４の非印刷堆積のために、サブピクセル行２０、２４、２８、３２、３６、および４０を利用することができ、それによって完全な４色ピクセル単位が形成される。したがって使用できるデバイス領域はサブピクセル行１７からサブピクセル行４０である。
【００６９】
図６中、２つの印刷色Ｍ１およびＭ２が存在し、２つの追加の色Ｍ３およびＭ４が非印刷堆積によって塗布される。印刷ヘッド上には各色で２つのノズルが存在する。したがって、この図においては：
ａ＝２
ｂ＝２
ｃ＝４、および
ｚ＝２である。
【００７０】
これらの色は、「プリンタ」と表示される列の下に示されるように配列される。最初の２つのノズルは色Ｍ１用であり、次の２つのノズルは色Ｍ２用である。同じ色のノズル間の間隔はｃであり、これは４サブピクセル単位となる。隣接するＭ１ノズルとＭ２ノズルとの間の間隔はｃ＋１であり、これは５サブピクセル単位となる。図３に関して説明したように、印刷ヘッドは、サブピクセル行１の上のＡ１に配置される。プリンタによって、工作物の行方向にわたって印刷されることで、色Ｍ１の行がサブピクセル行１および５の中に形成され、色Ｍ２の行がサブピクセル行１０および１４の中に形成される。これは、印刷＃１で表示される列中に示されている。図３と同様に、明確にするために、それぞれの色で１つのサブピクセルしか示していないが、それぞれがサブピクセルの行全体を表している。次に、プリンタは距離ｄだけ横方向に移動し、このｄはｃｚサブピクセル単位に等しく、この場合は８である。これがプリンタの位置Ａ２となる。次に、プリンタによって、行の第２のセットが印刷され、印刷＃２で表示される列中に示されるように、色Ｍ１の行がサブピクセル行９および１３の中に印刷され、色Ｍ２の行がサブピクセル行１８および２２の中に印刷される。明確にするために、印刷＃２は、印刷＃１の右側にずらして示している。印刷＃１および印刷＃２の両方、ならびにその他のすべての印刷番号は、工作物にわたって印刷されるサブピクセルの行全体を表している。次に、プリンタは８サブピクセル単位だけ再び横方向に移動する。これがプリンタの位置Ａ３となる。次に、プリンタによって行の第３のセットが印刷され、印刷＃３で表示される列中に示されるように、色Ｍ１の行がサブピクセル行１７および２１の中に印刷され、色Ｍ２の行がサブピクセル行２６および３０の中に印刷される。この実施例においては、このプロセスが位置Ａ４および印刷＃４、位置Ａ５および印刷＃５、ならびに位置Ａ６および印刷＃６に関して繰り返される。したがって、この実施例ではｎ＝６であり、印刷される行の総数はｎａｚ＝２４である。
【００７１】
この時点で、印刷は工作物の反対側の縁端部に到達している。前述したように、実際にはより多くの行が印刷され、図面中の２４のサブピクセル行は単なる例として示している。
【００７２】
印刷結果は、「パターン」と表示される列に示されている。Ａ１の縁端部および反対側の縁端部において、サブピクセルからサブピクセル行が欠落していることが分かる。サブピクセルの空間は、非印刷方法による色Ｍ３の堆積のために、サブピクセル行１１、１５、１９、２３、２７、３１、３５、３９、４３、および４７を利用することができ；非印刷方法による色Ｍ４の堆積のために、サブピクセル行１２、１６、２０、２４、２８、３２、３６、４０、４４、および４８を利用することができ、それによって完全な４３色ピクセル単位が形成される。したがって使用できるデバイス領域はサブピクセル行９からサブピクセル行４８である。
【００７３】
図７中、２つの印刷色の赤色および緑色が存在し、青色が非印刷堆積によって塗布される。印刷ヘッド上には各色で４つのノズルが存在する。したがって、この図においては：
ａ＝２
ｂ＝１
ｃ＝３、および
ｚ＝４である。
【００７４】
これらの色は、「プリンタ」と表示される列の下に示されるように配列される。最初の４つのノズルは赤色用であり、次の２つのノズルは緑色用である。同じ色のノズル間の間隔はｃであり、これは３サブピクセル単位となる。隣接する赤色ノズルと緑色ノズルとの間の間隔はｃ＋１であり、これは４サブピクセル単位となる。図３に関して説明したように、印刷ヘッドは、サブピクセル行１の上のＡ１に配置される。プリンタによって、工作物の行方向にわたって印刷されることで、赤色の行がサブピクセル行１、４、７、および１０の中に形成され、緑色の行がサブピクセル行１４、１７、２０、および２３の中に形成される。これは、印刷＃１で表示される列中に示されている。図３と同様に、明確にするために、それぞれの色で１つのサブピクセルしか示していないが、それぞれがサブピクセルの行全体を表している。次に、プリンタは距離ｄだけ横方向に移動し、このｄはｃｚサブピクセル単位に等しく、この場合は１２である。これがプリンタの位置Ａ２となる。次に、プリンタによって、行の第２のセットが印刷され：印刷＃２で表示される列中に示されるように、赤色の行がサブピクセル行１３、１６、１９、および２２の中に印刷され；緑色の行がサブピクセル行２６、２９、３２、および３５の中に印刷される。明確にするために、印刷＃２は、印刷＃１の右側にずらして示している。印刷＃１および印刷＃２の両方、ならびにその他のすべての印刷番号は、工作物にわたって印刷されるサブピクセルの行全体を表している。次に、プリンタは１２サブピクセル単位だけ再び横方向に移動する。これがプリンタの位置Ａ３となる。次に、プリンタによって行の第３のセットが印刷され：印刷＃３で表示される列中に示されるように、赤色の行がサブピクセル行２５、２８、３１、および３４の中に印刷され；緑色の行がサブピクセル行３８、４１、４４、および４７の中に印刷される。この実施例においては、このプロセスが位置Ａ４および印刷＃４に関して繰り返される。したがって、この実施例ではｎ＝４であり、印刷される行の総数はｎａｚ＝３２である。
【００７５】
この時点で、印刷は工作物の反対側の縁端部に到達している。前述したように、実際にはより多くの行が印刷され、図面中の３２のサブピクセル行は単なる例として示している。
【００７６】
印刷結果は、「印刷されたパターン」で表示される列中に示される。Ａ１の縁端部および反対側の縁端部において、サブピクセルからサブピクセル行が欠落していることが分かる。空いている適切なサブピクセル行に非印刷方法によって青色を堆積することによって、完全な３色ピクセル単位が形成され、その結果は「非印刷堆積後のパターン」（Ｐａｔｔｅｒｎ  ａｆｔｅｒ  Ｎｏｎ−Ｐｒｉｎｔｉｎｇ  Ｄｅｐ．）で表示される列中に示される。したがって使用できるデバイス領域はサブピクセル行１３からサブピクセル行４８である。
【００７７】
５．電子デバイス
本明細書に記載の印刷方法を使用できるデバイスとしては、有機電子デバイスが挙げられる。用語「有機電子デバイス」または場合により単に「電子デバイス」は、１つ以上の有機半導体層または材料を含むデバイスを意味することを意図している。有機電子デバイスとしては：（１）電気エネルギーを放射線に変換するデバイス（たとえば、発光ダイオード、発光ダイオードディスプレイ、ダイオードレーザー、または照明パネル）、（２）電子的過程を介して信号を検出するデバイス（たとえば、光検出器、光導電セル、フォトレジスタ、光スイッチ、光トランジスタ、光電管、赤外（「ＩＲ」）検出器、またはバイオセンサー））、（３）放射線を電気エネルギーに変換するデバイス（たとえば、光起電力デバイスまたは太陽電池）、（４）１つ以上の有機半導体層を含む１つ以上の電子部品（たとえば、トランジスタまたはダイオード）を含むデバイス、または項目（１）〜（４）のデバイスのあらゆる組み合わせが挙げられるが、これらに限定されるものではない。
【００７８】
このようなデバイスにおいては、２つの電気接触層の間に有機活性層が挟まれている。少なくとも１つの電気接触層は、光が電気接触層を通過できるように光透過性である。電気接触層に電気を印加すると、有機活性層は、光透過性電気接触層を透過する光を発する。周知のように、発光層と電気接触層との間にさらなる電気活性層が存在することができる。
【００７９】
必要な色を得るために、このようなデバイス中の活性成分としての有機発光性化合物を使用することは周知である。本明細書に記載の方法は、異なる色を発光する発光材料の堆積に適している。印刷ステップは、発光材料を含有する液体組成物を印刷することによって行われる。非印刷ステップは、材料単独を使用して、または発光材料を含有する液体組成物から行うことができる。
【００８０】
限定するものではないが、小分子有機蛍光性化合物、蛍光性およびリン光性の金属錯体、共役ポリマー、ならびにそれらの混合物などのあらゆる発光材料をデバイス中に使用することができる。蛍光性化合物の例としては、クリセン類、ピレン類、ペリレン類、ルブレン類、クマリン類、アントラセン類、チアジアゾール類、それらの誘導体、およびそれらの混合物が挙げられるが、これらに限定されるものではない。金属錯体の例としては、トリス（８−ヒドロキシキノラト）アルミニウム（Ａｌｑ３）などの金属キレート化オキシノイド化合物；Ｐｅｔｒｏｖらの米国特許第６，６７０，６４５号明細書ならびに国際公開第０３／０６３５５５号パンフレットおよび国際公開第２００４／０１６７１０号パンフレットに記載されるような、フェニルピリジン、フェニルキノリン、またはフェニルピリミジンの配位子を有するイリジウム錯体などの、シクロメタレート化されたイリジウムおよび白金の発光性化合物、ならびに、たとえば国際公開第０３／００８４２４号パンフレット、国際公開第０３／０９１６８８号パンフレット、および国際公開第０３／０４０２５７号パンフレットに記載される有機金属錯体、ならびにそれらの混合物が挙げられるが、これらに限定されるものではない。場合によっては、加工特性および／または電子特性を改善するために小分子蛍光材料または有機金属材料がドーパントとしてホスト材料とともに堆積される。共役ポリマーの例としては、ポリ（フェニレンビニレン）類、ポリフルオレン類、ポリ（スピロビフルオレン）類、ポリチオフェン類、ポリ（ｐ−フェニレン）類、それらのコポリマー、およびそれらの混合物が挙げられるが、これらに限定されるものではない。
【００８１】
特定の化合物または関連する種類の化合物に対する好適な液体媒体は、当業者によって容易に決定することができる。ある用途においては、これらの化合物が非水溶媒中に溶解することが望ましい。このような非水溶媒は、Ｃ1〜Ｃ20アルコール類、エーテル類、および酸エステル類などの比較的極性であってもよいし、あるいはＣ1〜Ｃ12アルカン類、またはトルエン、キシレン類、トリフルオロトルエンなどの芳香族などの比較的非極性であってもよい。新規化合物を含む本明細書に記載されるような溶液または分散体のいずれかとしての液体組成物の製造に使用すると好適な他の液体としては、塩素化炭化水素類（塩化メチレン、クロロホルム、クロロベンゼンなど）、芳香族炭化水素類（置換および非置換のトルエン類およびキシレン類など）、トリフルロトルエン（ｔｒｉｆｌｕｒｏｔｏｌｕｅｎｅ）など）、極性溶媒（テトラヒドロフラン（ＴＨＰ）、Ｎ−メチルピロリドンなど）エステル類（エチルアセテートなど）アルコール類（イソプロパノール）、ケイトン類（ｋｅｙｔｏｎｅｓ）（シクロペンタトン（ｃｙｃｌｏｐｅｎｔａｔｏｎｅ））、およびそれらの混合物が挙げられるが、これらに限定されるものではない。発光材料に好適な溶媒は、たとえば国際公開第２００７／１４５９７９号パンフレットに記載されている。
【００８２】
概要または実施例において前述したすべての行為が必要なわけではなく、特定の行為の一部は不要である場合があり、１つ以上のさらに別の行為が、前述の行為に加えて実施される場合があることに留意されたい。さらに、行為が列挙されている順序は、必ずしもそれらが実施される順序ではない。
【００８３】
以上の明細書において、具体的な実施形態を参照しながら本発明の概念を説明してきた。しかし、当業者であれば、特許請求の範囲に記載される本発明の範囲から逸脱せずに種々の修正および変更を行えることが理解できよう。したがって、本明細書および図面は、限定的な意味ではなく説明的なものであると見なすべきであり、すべてのこのような修正は本発明の範囲内に含まれることを意図している。
【００８４】
特定の実施形態に関して、利益、その他の利点、および問題に対する解決法を以上に記載してきた。しかし、これらの利益、利点、問題の解決法、ならびに、なんらかの利益、利点、または解決法を発生させたり、より顕著にしたりすることがある、あらゆる特徴が、特許請求の範囲のいずれかまたはすべての重要、必要、または本質的な特徴であるとして解釈すべきではない。
【００８５】
別々の実施形態の状況において、明確にするために本明細書に記載されている特定の複数の特徴は、１つの実施形態の中で組み合わせても提供できることを理解されたい。逆に、簡潔にするため１つの実施形態の状況において説明した種々の特徴も、別々に提供したり、あらゆる副次的な組み合わせで提供したりすることができる。さらに、ある範囲において記載される値への言及は、その範囲内にあるすべての値を含んでいる。
【図１】
0005411283.tif 000002
【図２】
0005411283.tif 000003
【図３】
0005411283.tif 000004
【図４】
0005411283.tif 000005
【図５】
0005411283.tif 000006
【図６】
0005411283.tif 000007
【図７】
0005411283.tif 000008